(57)【特許請求の範囲】
【請求項１】
通信基地局として屋外に設置されるキュービクル本体と、このキュービクル本体内に設けられ、このキュービクル本体の外部から内部へと引き込まれた無線通信回線が接続される無線機とを備えたキュービクルであって、
前記キュービクル本体の内部に引き込まれる前記無線通信回線に接地線が接続され、
前記キュービクル本体の外壁面には、前記接地線に接続される接地箱が一体に設けられていることを特徴とするキュービクル。
【発明の詳細な説明】
【技術分野】
【０００１】
本発明は、屋外に設置される通信基地局として、内部に無線機を備えたキュービクルに関する。
【背景技術】
【０００２】
従来より、通信基地局として、内部に無線機やバッテリー等の附帯機器が収容されたキュービクルが屋外に設置されている（例えば、特許文献１参照）。
一般に、このようなキュービクルでは、外部から電話回線等の無線通信回線がキュービクルに形成された貫通口を介してキュービクル内に引き込まれてキュービクル内に収容された無線機に接続されている。また、無線通信回線はキュービクル内に引き込まれる前に接地線に接続され、接地線が大地上に固定された金属製の外箱に接続されており、この外箱によって接地されている。
なお、変圧器の接地に関して、キュービクル内に設けられた接地端子に変圧器が配線されて接地することが開示されている（例えば、特許文献２参照）。
【特許文献１】特開２００１−２３７５８０号公報
【特許文献２】特開平９−１６３５１８号公報
【発明の開示】
【発明が解決しようとする課題】
【０００３】
しかしながら、無線通信回線の接地は、上述のように現地工事で、キュービクルとは別体として設置したケーブルラックに無線通信回線を配線し、ケーブルラックの下方で接地箱を設置していたため、接地作業を随時現地工事で行わなければならず施工に手間がかかっていた。
本発明は、上記事情に鑑みてなされたもので、接地作業を簡略化でき、現地工事の施工期間を短縮することのできるキュービクルを提供することを目的としている。
【課題を解決するための手段】
【０００４】
上記課題を解決するため、請求項１の発明は、例えば、図１〜図６に示すように、通信基地局として屋外に設置されるキュービクル本体１と、このキュービクル本体内に設けられ、このキュービクル本体の外部から内部へと引き込まれた無線通信回線Ｍが接続される無線機２とを備えたキュービクル１００であって、
前記キュービクル本体の内部に引き込まれる前記無線通信回線に接地線Ｓが接続され、
前記キュービクル本体の外壁面には、前記接地線に接続される接地箱９が一体に設けられていることを特徴とする。
【０００５】
請求項１の発明によれば、キュービクル本体内に引き込まれる無線通信回線に接地線が接続され、キュービクル本体の外壁面には接地線に接続される接地箱が一体に設けられているので、従来のように現地工事で無線通信回線を配線させて、その無線通信回線に接地箱を設置するといった作業を随時行う必要がなく、本発明のキュービクルを設置するだけで容易に施工することができる。
【発明の効果】
【０００６】
本発明に係るキュービクルによれば、キュービクル本体の外壁面に、無線通信回線に接地線を介して接続される接地箱が一体に設けられているので、現地工事の簡略化及び施工期間の短縮化を図ることができる。
【発明を実施するための最良の形態】
【０００７】
以下、本発明の実施の形態について図面を参照しながら説明する。
図１は、本発明の実施の形態のキュービクル本体に接地箱が一体に取り付けられた状態を示す側面図、図２は、キュービクルの上断面図、図３は、キュービクルの内観正面図、図４は、キュービクルの内観右側面図、図５(a)は、キュービクルの外観上面図、(b)は外観左側面図、(c)は外観正面図、(d)は外観右側面図、(e)は外観背面図、図６(a)は通信基地局用統合盤の左側面図、(b)は正面図、図７は、キュービクル内の電力線及び無線通信回線の配線図である。
図１〜図６に示すように、本発明に係るキュービクル１００は、通信基地局として屋外に設置されて、略箱状のキュービクル本体１と、このキュービクル本体１内に設けられこのキュービクル本体１の外部から内部へと引き込まれた無線通信回線Ｍが接続される無線機２と、無線機２に附帯される複数の附帯機器を有する通信基地局用統合盤３とを備えている。
【０００８】
キュービクル本体１は、例えばスチール製やアルミニウム製である。また、キュービクル本体１の前面には観音開き状の前面扉１１が２枚取り付けられており、右側面には同様の側面扉１２が１枚取り付けられている。
キュービクル本体１内に収容される無線機２は、キュービクル本体１の前面板に沿って将来の増設用も含めて３つ配置されている。これら無線機２の右側には、無線機２の非常用電源として蓄電池４が配置されている。なお、将来増設用のスペースを考えないとすれば、キュービクル本体１はさらに小型化になる。
【０００９】
また、蓄電池４の上方で、キュービクル本体１の天板には冷気等を生成し送風する天吊り型の室内機５１が設置され、背面板の外面には冷媒の圧縮等を行う室外機５２が設置されている。
また、キュービクル本体１の背面板の内部にはパネル状の熱交換装置６１が組み込まれており、前面板の外面下部には吸気フード６２、左側板の外面上部には排気フード６３が設置されている。
熱交換装置６１は、キュービクル本体１内の空気の熱交換を行うものである。
そして、キュービクル本体１内の所定箇所に複数設けられた温度センサー（図示略）の検出結果に基づいて、熱交換装置６１内のファンが駆動して風量調整が行われたり、室内機５１及び室外機５２からなる冷房装置が駆動されてキュービクル本体１内に冷風が送られるようになっている。
したがって、これら熱交換装置６１と冷房装置５１、５２とによって、キュービクル本体１内に設置された後述する通信基地局用統合盤３や無線機２等による発熱により上昇する温度を冷却し、キュービクル本体１内を適温に保つよう空調管理がなされている。
なお、吸気フード６２や排気フード６３は、停電時における非常用空調機として機能するもので、フード６２、６３内の各ファンが作動して換気が行われるようになっている。
また、キュービクル本体１の天板の２箇所には、キュービクル本体１内の照明用として蛍光灯１３が取り付けられている。
【００１０】
通信基地局用統合盤３は、無線機２の左側に配置され、無線機２に附帯される複数の附帯機器を備えている。これら複数の附帯機器としては、図７に示すように、交流受電盤３１、整流器３２、直流分電盤３３、基地局制御盤３４、中間配電盤（ＩＤＦ）３５、伝送装置３６等が挙げられる。そして、これら複数の附帯機器が収容ラック３０内において互いに配線された状態で収容され、一体化されている。
【００１１】
収容ラック３０は、略箱状をなしており、前面及び側面に複数段の棚が設けられている。そして、図６(a)に示すように、収容ラック３０の前面には、下から順に交流受電盤３１、交流受電盤３１及び直流分電盤３３のスイッチやメーター等が備えられた操作パネル３７、直流分電盤３３が収容されており、直流分電盤３３の上部にはＤＣ端子台スペース３８aが設けられている。このように収容ラック３０の前面に交流受電盤３１、操作パネル３７、直流分電盤３３を収容することによって、前面扉１１を開けた際の操作性の向上を図っている。
また、図６(b)に示すように、収容ラック３０の側面側で、これら交流受電盤３１及び直流分電盤３３の背面には、下から順にインバータスペース３８bとして使用可能なスペースが設けられ、その上部に基地局制御盤３４、整流器３２が収容され、ＡＣ端子台スペース３８c及びＤＣ端子台スペース３８dとして使用可能なユーティリティスペースが設けられており、通信機器構成の変化・拡張性などフレキシブルに対応可能としている。
さらに、これら整流器３２等の右側には、中間配電盤３５が収容されており、収容ラック３０に収容された複数の附帯機器が互いに配線された状態で一体化されている。
【００１２】
なお、図６に示す収容ラック３０内には、図面の関係上、図７に示す伝送装置３６やその他の附帯機器の図示を省略しているが、実際には、図７の符号３に示す通信基地局用統合盤内に示されているものが収容されているものとする。例えば、屋外に設置されてアンテナ１７のチルト角を制御する制御装置３９aを、屋内で制御する屋内制御部３９b等が挙げられる。
【００１３】
以下、キュービクル本体１の内部に引き込まれる無線通信回線Ｍ及び電力線Ｄの配線について図１及び図７を参照して説明する。
キュービクル本体１の左側板の外面上部には、無線通信回線Ｍや、上述した交流受電盤３４等に接続される電力線Ｄが挿通される穴部を複数有する貫通板１４が取り付けられている。なお、図面の関係上、図１では無線通信回線Ｍのみ示し、電力線Ｄは省略した。
アンテナ１７に取り付けられた無線通信回線Ｍは、キュービクル本体１の外部に設置された外部ケーブルラック７に支持され、貫通板１４の穴部を介してキュービクル本体１内へと引き込まれている。また、無線通信回線Ｍには、貫通板１４の近傍で内部にアレスター１８を有する変換コネクタ１６を介して接地線Ｓに接続されている。この接地線Ｓは接地箱９内の接地端子に接続されており、接地箱９はキュービクル本体１の左側板の外面（外壁面）に固定され、キュービクル本体１に一体に取り付けられている。接地箱９は、例えばキュービクル本体１と同様にスチール製やアルミニウム製等の導電性を有している。
また、接地箱９内の接地端子で大地Ｇに接地された接地線Ｓは、さらに、上記貫通板１４の穴部を介してキュービクル本体１内へと引き込まれている。このようにしてキュービクル本体１内に引き込まれた接地線Ｓは、通信基地局用統合盤３内のアース盤（図示略）に接続されている。そして、アース盤で分岐された複数の接地線Ｓが各無線機２にそれぞれ接続されている（図２、図７参照）。
このようにして、無線機２は接地線Ｓ及び接地箱９を介して大地Ｇに接地されている。
【００１４】
また、接地線Ｓに分岐されずに、キュービクル本体１内にそのまま引き込まれた無線通信回線Ｍは各無線機２に直接接続され、図７に示す配線構造とされている。すなわち、アンテナ１７で受信された電波信号は、無線通信回線Ｍを通じて各無線機２に入力された後、伝送装置（ＤＳＵ）３６を介して光ケーブルによって交換局（図示略）へと伝送される。
【００１５】
電力線Ｄは、図７に示すように、キュービクル本体１内に引き込まれる前に、キュービクル本体１の外面に必要により設置された電源保安装置１０に接続されている。電源保安装置１０は、電力線Ｄに介挿される耐雷トランス（図示略）を備えており、これによって誘導雷による雷サージから通信基地局用統合盤３を保護している。さらには、直接雷による通信基地局用統合盤３の保護と、周辺民家への影響を最小限に留めている。
そして、この電力線Ｄは、電源保安装置１０を介して、貫通板１４の穴部からキュービクル本体１内へと引き込まれている。その後、キュービクル本体１内へ引き込まれた電力線Ｄは、通信基地局用統合盤３内の交流受電盤３１に接続されており、交流受電盤３１には基地局制御盤３４が接続されている。そして、基地局制御盤３４から出力される単相のＡＣ１００Ｖは蛍光灯の照明用やコンセント用として使用され、三相のＡＣ２００Ｖは冷房装置５１、５２等の動力用として使用されている。また、一方で、交流受電盤３１は整流器３２に接続されており、整流器３２からの直流電源が通信機器の電源供給用として蓄電池４、無線機２や伝送装置３６等に使用されている。
また、停電時に電源を供給できるようにキュービクル本体１は、移動電源車１９のコネクタを有している。
【００１６】
基地局制御盤３４は、熱交換装置６１や冷房装置５１、５２の空調関係、キュービクル本体１内に設置された温度センサー、前面扉１１や側面扉１２の開閉、換気扇の起動、シャッターの開閉等のアラーム信号や制御関係の信号の接点が集約されている。さらに、この基地局制御盤３４、整流器３２、蓄電池４、無線機２の各種信号の接点が中間配電盤３５に盤内配線され、各機器の異常や動作を監視している。
監視項目としては、例えば、キュービクル本体１内での作業中、各扉１１、１２の開放、整流器３２の故障、蓄電池４の電圧低下、キュービクル本体１内の温度異常、熱交換装置６１のファン故障や運転／停止、冷房装置５１、５２の故障、火災等が挙げられる。そして具体的には、停電時に換気扇を起動させたりシャッターを開放し、停電復旧時に、熱交換局６１を起動させ、換気扇を停止させるとともにシャッターを閉鎖する。その他に、扉１１、１２の開閉時には蛍光灯１３の照明をＯＮ／ＯＦＦするようになっている。
【００１７】
なお、上述のようにしてキュービクル本体１内に引き込まれた無線通信回線Ｍ、各接地線Ｓ及び電力線Ｄは、図２に示すように、キュービクル本体１内の壁面上方に沿って取り付けられた内部ケーブルラック８に支持されて配線されている。ここで、図２では上面図であるため、無線通信回線Ｍ、接地線Ｓ及び電力線Ｄが一本となっているように見えるが、実際には複数の無線通信回線Ｍ、複数の接地線Ｓ及び複数の電力線Ｄが壁面に沿って配線されている。
内部ケーブルラック８は、無線機２や通信基地局用統合盤３等の上方に前記壁面と対向して設けられた長尺なケーブル支持部８１と、このケーブル支持部８１と前記壁面との間に互いに直交するように設けられた複数のケーブル支持金具８２とを備えている。そして、無線通信回線Ｍ、接地線Ｓ及び電力線Ｄは、各ケーブル支持金具８２に支持されるとともに前記壁面に沿って配線されている。このように壁面に沿って配線することにより、キュービクル本体１の中央に配線する場合に比して、キュービクル本体１内の空気の流れを良好にすることができる。
【００１８】
以上、本発明の実施の形態のキュービクル１００によれば、キュービクル本体１の内部に引き込まれる無線通信回線Ｍに接地線Ｓが接続され、キュービクル本体１の側板外面（外壁面）には接地線Ｓに接続される接地箱９が一体に設けられているので、従来のように現地工事で無線通信回線Ｍを配線させて、その無線通信回線Ｍに接地箱９を設置するといった作業を随時行う必要がなく、現地工事ではキュービクル１００を設置するだけで良い。よって、現地工事の簡略化及び施工期間の短縮化を実現することができる。
【００１９】
なお、本発明の実施の形態は、上記実施の形態に限定されるものではなく、その要旨を変更しない限り、適宜変更可能である。
上記実施の形態のキュービクル１００は、通信基地局用統合盤３の操作性の面で観音開き状の前面扉１１を使用し、前面扉１１を開けた位置に操作パネル３７を配置していたが、図８〜図１１に示すようにインドアメンテナンス用として、通信基地局用統合盤３を扉１１Ａから離れた位置に設け、扉１１Ａを片開きとしたキュービクル１００Ａとしても良い。この場合、片開きの扉１１Ａを使用することによりコストを低減することができる。なお、図８〜図１１において、図１〜図６と同様の構成については同様の符号を付している。また、このキュービクル１００Ａの接地箱９も、上記キュービクル１００と同様にキュービクル本体１の外壁面に一体に設置されており、構成は図１と同様のためその図面は省略する。
【００２０】
また、上記収容ラック３０に収容する附帯機器としては、図７に示す附帯機器のみに限らず、インバータを入れても構わない。この場合、上記インバータスペース３８bに収容することができる。
さらに、上記収容ラック３０に収容された交流受電盤３１、直流分電盤３３、操作パネル３７、中間配電盤３５等の複数の附帯機器の配置は、上述した配置に限らず適宜変更しても良い。さらに、キュービクル本体１内における無線機２、通信基地局用統合盤３、冷房装置５１、５２等の各機器の配置も適宜変更可能である。
【図面の簡単な説明】
【００２１】
【図１】本発明の実施の形態を示すためのもので、キュービクル本体に接地箱が一体に取り付けられた状態を示す側面図である。
【図２】同、キュービクルの上断面図である。
【図３】同、キュービクルの内観を示す正面図である。
【図４】同、キュービクルの内観を示す右側面図である。
【図５】同、(a)はキュービクルの外観を示す上面図、(b)は左側面図、(c)は正面図、(d)は右側面図、(e)は背面図である。
【図６】同、(a)は通信基地局用統合盤の左側面図、(b)は正面図である。
【図７】同、キュービクル内における電力線及び無線通信回線の配線図である。
【図８】本発明の変形例を示すためのもので、キュービクルの上断面図である。
【図９】同、キュービクルの内観を示す正面図である。
【図１０】同、キュービクルの内観を示す右側面図である。
【図１１】同、(a)はキュービクルの外観を示す上面図、(b)は左側面図、(c)は正面図、(d)は右側面図、(e)は背面図である。
【符号の説明】
【００２２】
１  キュービクル本体
２  無線機
９  接地箱
３１  中間配電盤（配電盤）
１００  キュービクル
Ｍ  無線通信回線
Ｓ  接地線
【要約】
【課題】接地作業を簡略化でき、現地工事の施工期間を短縮することのできるキュービクルを提供する。
【解決手段】キュービクル１００は、通信基地局として屋外に設置されるキュービクル本体１と、このキュービクル本体１内に設けられ、キュービクル本体１の外部から内部へと引き込まれた無線通信回線Ｍが接続される無線機２とを備えている。そして、キュービクル本体１の内部に引き込まれる無線通信回線Ｍに接地線Ｓが接続され、キュービクル本体１の外壁面には、接地線Ｓに接続される接地箱９が一体に設けられている。
【選択図】図１                                                                     
【図１】
0003638280.tif 000002
【図２】
0003638280.tif 000003
【図３】
0003638280.tif 000004
【図４】
0003638280.tif 000005
【図５】
0003638280.tif 000006
【図６】
0003638280.tif 000007
【図７】
0003638280.tif 000008
【図８】
0003638280.tif 000009
【図９】
0003638280.tif 000010
【図１０】
0003638280.tif 000011
【図１１】
0003638280.tif 000012